(57)【要約】【課題】花に特化した名称検索が可能で、かつ検索した花情報を交換できるコミュニティを提供することが可能なネットワークシステムを実現する。【解決手段】携帯端末（ＭＢ）２で撮像し花の画像データを花情報管理サーバ（ＳＶ）１に送り、ＧＰＳの緯度経度データや日時データからその地域、その時期に開花可能性のない花名を除外して、より正確な花の名称候補をユーザに提供する。このように、その花の形状や色に基づいて、花に特化したサーバ１の花情報データベースを検索し、候補となる花名称を携帯端末に送信することによって、花の名称検索がより確実となる。【選択図】図１
2007188229.tif 000002
【特許請求の範囲】
【請求項１】
通信機能部と、撮像機能部とを備えた携帯端末において、前記撮像機能部によって、花を撮像するステップと、
前記携帯端末において、前記撮像機能部で撮像された花画像データを前記通信機能部によってネットワークを介してサーバに送信するステップと、
前記花画像データを受信したサーバにおいて、当該花画像データから抽出された花の形状データおよび色データとから１または２以上の花名称の候補データを花情報データベースから索出するステップと、
前記サーバにおいて、前記で索出された花名称の候補データを、前記携帯端末に表示させるためにネットワークを介して送信するステップと、
からなる携帯端末とサーバとで実行される花情報照会方法。
【請求項２】
前記携帯端末において、前記撮像機能部で撮像された花画像データを前記通信機能部によってネットワークを介してサーバに送信する際に、花画像データとともに、当該花画像データの携帯端末への保存日時データを付加データとしてサーバに送信するステップを実行し、
前記花画像データと前記付加データとを受信したサーバは、当該花画像データから抽出された花の形状データおよび色データとから花情報データベースを検索して花名称の候補データを索出し、さらに、前記付加データの保存日時データから前記花情報データベースの開花時期と一致する花名称の候補データに絞り込み当該候補データとするステップを実行する請求項１記載の携帯端末とサーバとで実行される花情報照会方法。
【請求項３】
前記携帯端末において、前記撮像機能部で撮像された花画像データを前記通信機能部によってネットワークを介してサーバに送信する際に、花画像データとともに、当該花画像データの携帯端末への保存日時データとその時の緯度経度データとを付加データとしてサーバに送信するステップを実行し、
前記花画像データと前記付加データとを受信したサーバは、当該花画像データから抽出された花の形状データおよび色データとから花名称の候補データを索出し、さらに、前記付加データの緯度経度データとから前記花情報データベースの開花地域と一致する花名称の候補データに絞り込み当該候補データとするステップを実行する請求項１または２記載の携帯端末とサーバとで実行される花情報照会方法。
【請求項４】
前記サーバから受信した１または２以上の花名称の候補データを受信した前記携帯端末において、
前記１または２以上の花名称を表示させるとともに、入力機能部を介して花の大きさと花の形状との選択入力を待つステップと、
前記携帯端末において、入力機能部から花の大きさと花の形状とが選択入力されると、当該選択入力データが前記通信機能部によってネットワークを介してサーバに送信されるステップと、
前記サーバにおいて、受信した前記選択入力データに基づいて、前記花情報データベースを再度検索して、花名称の候補データを絞り込んで、当該絞り込まれた花名称の候補データを、再度前記携帯端末に表示させるためにネットワークを介して送信するステップとからなる請求項１〜３のいずれかに記載の携帯端末とサーバとで実行される花情報照会方法。
【請求項５】
花を撮影するための撮像機能部と、撮像された花画像データをネットワークを介してサーバに送信するための通信機能部とを備えた携帯端末と、
前記携帯端末とネットワークを介して接続されたサーバとからなり、
前記サーバは、前記携帯端末から受信した花画像データから少なくとも花の形状データ
と、色データとを抽出する解析機能部と、
この解析機能部で抽出された形状データと色データとを検索キーとして花情報データベースの検索を行う検索機能部と、
この検索機能部によってアクセスされ少なくとも花名称と形状データと色データとが関連付けられた花情報データベースと、
前記検索機能部の花情報データベースへの検索処理によって索出された花名称の候補データを前記携帯端末に表示させるためにネットワークを介して送信する送信機能部と
を有する花情報照会システム。
【請求項６】
携帯端末から受信した花画像データに基づいて花名称の候補を抽出するサーバの花情報照会プログラムであって、
通信機能部と撮像機能部とを備えた携帯端末において撮像された花画像データをネットワークを介して受信するステップと、
前記花画像データを受信したサーバにおいて、当該花画像データから抽出された花の形状データおよび色データとから１または２以上の花名称の候補データを花情報データベースから索出するステップと、
前記サーバにおいて、前記で索出された花名称の候補データを、前記携帯端末に表示させるためにネットワークを介して送信するステップと
からなるサーバにおいて実行可能な花情報照会プログラム。
【請求項７】
携帯端末から受信した花画像データに基づいて花名称の候補を抽出するサーバにおいて実行可能な花情報照会プログラムを格納した記憶媒体であって、
通信機能部と撮像機能部とを備えた携帯端末において撮像された花画像データをネットワークを介して受信するステップと、
前記花画像データを受信したサーバにおいて、当該花画像データから抽出された花の形状データおよび色データとから１または２以上の花名称の候補データを花情報データベースから索出するステップと、
前記サーバにおいて、前記で索出された花名称の候補データを、前記携帯端末に表示させるためにネットワークを介して送信するステップと
からなるサーバにおいて実行可能な花情報照会プログラムを格納した記憶媒体。
【発明の詳細な説明】
【技術分野】
【０００１】
本発明は、カメラ機能を内蔵した携帯電話端末を用いて撮像された花画像に基づいて花名称の候補を抽出するネットワーク技術に関する。
【背景技術】
【０００２】
屋外の散歩やトレッキング時に花を見つけた時に、その花の名称を知りたい場合、従来は屋内に戻ってから図鑑等で探すしかなかった。
【０００３】
この点について、特許文献１では、携帯電話端末で撮像した花等の画像データを管理コンピュータに送信して、管理コンピュータで照会画像の画像データの特徴量を算出し、登録画像との類似度を算出してそれが何の花であるかを解析する技術が示されている。
【特許文献１】特開２００５−１０７９９０号公報
【発明の開示】
【発明が解決しようとする課題】
【０００４】
しかしながら、前記の特許文献１に記載された技術は、あくまでも画像データの特徴量に基づいてあらかじめ登録された登録画像との類似度を算出してその花等の名称を調べるものであるため、画像の特徴量が類似するような花同士の場合、正確な検索ができなかった。
【０００５】
本発明は、このような点に鑑みてなされたものであり、花に特化した名称検索が可能で、かつ検索した花情報を交換できるコミュニティを提供することが可能なネットワークシステムを実現することを技術的課題とする。
【課題を解決するための手段】
【０００６】
前記課題を解決するために、本発明では、以下の手段を採用した。
本発明の請求項１は、撮像機能部とを備えた携帯端末において、前記撮像機能部によって、花を撮像するステップと、
前記携帯端末において、前記撮像機能部で撮像された花画像データを前記通信機能部によってネットワークを介してサーバに送信するステップと、
前記花画像データを受信したサーバにおいて、当該花画像データから抽出された花の形状データおよび色データとから１または２以上の花名称の候補データを花情報データベースから索出するステップと、
前記サーバにおいて、前記で索出された花名称の候補データを、前記携帯端末に表示させるためにネットワークを介して送信するステップと、
からなる携帯端末とサーバとで実行される花情報照会方法である。
【０００７】
このように、その花の形状や色に基づいて、花に特化したサーバの花情報データベースを検索し、候補となる花名称を携帯端末に送信することによって、花の名称検索がより確実となる。
【０００８】
請求項２は、前記携帯端末において、前記撮像機能部で撮像された花画像データを前記通信機能部によってネットワークを介してサーバに送信する際に、花画像データとともに、当該花画像データの携帯端末への保存日時データを付加データとしてサーバに送信するステップを実行し、
前記花画像データと前記付加データとを受信したサーバは、当該花画像データから抽出された花の形状データおよび色データとから花情報データベースを検索して花名称の候補
データを索出し、さらに、前記付加データの保存日時データから前記花情報データベースの開花時期と一致する花名称の候補データに絞り込み当該候補データとするステップを実行する請求項１記載の携帯端末とサーバとで実行される花情報照会方法である。
【０００９】
この方法によれば、保存日時データに基づいて、花情報データベースの開花時期と一致した花名称の候補だけを抽出するため、たとえば春に撮像した花画像データに対して、夏〜冬に開花する花名称の候補を排除することができるため、より正確な花名称の候補だけを索出することが可能となる。
【００１０】
請求項３は、前記携帯端末において、前記撮像機能部で撮像された花画像データを前記通信機能部によってネットワークを介してサーバに送信する際に、花画像データとともに、当該花画像データの携帯端末への保存日時データとその時の緯度経度データとを付加データとしてサーバに送信するステップを実行し、
前記花画像データと前記付加データとを受信したサーバは、当該花画像データから抽出された花の形状データおよび色データとから花名称の候補データを索出し、さらに、前記付加データの緯度経度データとから前記花情報データベースの開花地域と一致する花名称の候補データに絞り込み当該候補データとするステップを実行する請求項１または２記載の携帯端末とサーバとで実行される花情報照会方法である。
【００１１】
この方法によれば、撮像時の携帯端末から得られた緯度経度データに基づいて、花情報データベースの開花地域と一致する花名称の候補だけを抽出するため、たとえば春に北海道で撮像した花画像データに対して、秋に沖縄でしか開花しない花名称の候補等を排除することができるため、さらにより正確な花名称の候補だけを索出することが可能となる。
【００１２】
請求項４は、前記サーバから受信した１または２以上の花名称の候補データを受信した前記携帯端末において、
前記１または２以上の花名称を表示させるとともに、入力機能部を介して花の大きさと花の形状との選択入力を待つステップと、
前記携帯端末において、入力機能部から花の大きさと花の形状とが選択入力されると、当該選択入力データが前記通信機能部によってネットワークを介してサーバに送信されるステップと、
前記サーバにおいて、受信した前記選択入力データに基づいて、前記花情報データベースを再度検索して、花名称の候補データを絞り込んで、当該絞り込まれた花名称の候補データを、再度前記携帯端末に表示させるためにネットワークを介して送信するステップとからなる請求項１〜３のいずれかに記載の携帯端末とサーバとで実行される花情報照会方法である。
【００１３】
この方法によれば、サーバから携帯端末に受信した花名称の候補データに対してユーザがさらに花の大きさ（直径何センチ等）、花の形状（先端が丸い、先端が鋭い等）を選択入力させて再度サーバで絞り込み検索をかける際に、より正確な名称検索が可能となる。
【００１４】
請求項５は、花を撮影するための撮像機能部と、撮像された花画像データをネットワークを介してサーバに送信するための通信機能部とを備えた携帯端末と、
前記携帯端末とネットワークを介して接続されたサーバとからなり、
前記サーバは、前記携帯端末から受信した花画像データから少なくとも花の形状データと、色データとを抽出する解析機能部と、
この解析機能部で抽出された形状データと色データとを検索キーとして花情報データベースの検索を行う検索機能部と、
この検索機能部によってアクセスされ少なくとも花名称と形状データと色データとが関連付けられた花情報データベースと、
前記検索機能部の花情報データベースへの検索処理によって索出された花名称の候補データを前記携帯端末に表示させるためにネットワークを介して送信する送信機能部と
を有する花情報照会システムである。
【００１５】
このシステムによれば、請求項１で述べたのと同様に、その花の形状や色に基づいて、花に特化したサーバの花情報データベースを検索し、候補となる花名称を携帯端末に送信することによって、花の名称検索がより確実となる。
【００１６】
請求項６は、携帯端末から受信した花画像データに基づいて花名称の候補を抽出するサーバの花情報照会プログラムであって、
通信機能部と撮像機能部とを備えた携帯端末において撮像された花画像データをネットワークを介して受信するステップと、
前記花画像データを受信したサーバにおいて、当該花画像データから抽出された花の形状データおよび色データとから１または２以上の花名称の候補データを花情報データベースから索出するステップと、
前記サーバにおいて、前記で索出された花名称の候補データを、前記携帯端末に表示させるためにネットワークを介して送信するステップと
からなるサーバにおいて実行可能な花情報照会プログラムである。
【００１７】
このようなプログラムは、ＣＤ−ＲＯＭ、ＤＶＤ−ＲＯＭ等の形態で提供され、サーバのハードディスク装置にインストールされる。サーバにインストールされた当該プログラムは、サーバの中央処理装置に順次読み込まれてサーバからアクセス可能な花情報データベースと連動して携帯端末から受信した花画像データに基づいて、花に特化したサーバの花情報データベースを検索し、候補となる花名称を携帯端末に送信することによって、花の名称検索をより確実に行わせる。
【００１８】
請求項７は、携帯端末から受信した花画像データに基づいて花名称の候補を抽出するサーバにおいて実行可能な花情報照会プログラムを格納した記憶媒体であって、
通信機能部と撮像機能部とを備えた携帯端末において撮像された花画像データをネットワークを介して受信するステップと、
前記花画像データを受信したサーバにおいて、当該花画像データから抽出された花の形状データおよび色データとから１または２以上の花名称の候補データを花情報データベースから索出するステップと、
前記サーバにおいて、前記で索出された花名称の候補データを、前記携帯端末に表示させるためにネットワークを介して送信するステップと
からなるサーバにおいて実行可能な花情報照会プログラムを格納した記憶媒体である。
【００１９】
記憶媒体としては、前述のＣＤ−ＲＯＭ、ＤＶＤ−ＲＯＭ、ハードディスク装置等、光学的、磁気的にデータを記録可能なすべての記録媒体を意味する。
【発明の効果】
【００２０】
本発明によれば、花に特化した名称検索が可能で、かつ検索した花情報を交換できるコミュニティを提供することが可能なネットワークシステムを実現できる。
【発明を実施するための最良の形態】
【００２１】
本発明の実施の形態を図を用いて説明する。
図１は、本実施形態のサーバ（ＳＶ）と携帯端末（ＭＢ）との通信手順を示す説明図、図２は実施形態のネットワーク構成図、図３はサーバのハードウエア構成図である。
本実施形態のシステムは、図２に示すように、花情報データベース（ＦＤＢ）を備えた花情報管理サーバ（ＳＶ）１と、この花情報管理サーバ（ＳＶ）１とネットワーク（ＮＷ
）４および基地局（ＭＳ）３を介して接続される携帯端末（ＭＢ）２とからなる。
【００２２】
花情報管理サーバ（ＳＶ）１は、汎用の情報処理装置であり、図３に示すように、中央処理装置（ＣＰＵ）５を中心にバス（ＢＵＳ）１１で接続されたメインメモリ（ＭＭ）６、出力装置としてのディスプレイ装置（ＤＩＳＰ）９、入力装置としてのキーボード（ＫＢＤ）１０、大規模記憶装置としてのハードディスク装置（ＨＤ）７等で構成されている。
【００２３】
ハードディスク装置（ＨＤ）７には、オペレーティングシステム（ＯＳ）８とともに、本実施形態の機能を実現するための花情報照会プログラム（処理プログラム）１２がインストールされている。
【００２４】
また、同図では、花情報データベース（ＦＤＢ）１３もハードディスク装置（ＨＤ）７に登録されているが、当該花情報データベース（ＦＤＢ）１３は、ネットワーク（ＮＷ）４上に別途データベースサーバとして設けられていてもよい。
【００２５】
前記花情報照会プログラム（処理プログラム）１２は、バス（ＢＵＳ）１１およびメインメモリ（ＭＭ）６を介して中央処理装置（ＣＰＵ）５に読み込まれて順次実行処理されるようになっている。
【００２６】
携帯端末（ＭＢ）２は、ネットワーク接続可能で、液晶表示部と入力用釦が設けられた携帯電話端末を例示できるが、これに限らず、ＰＤＡ、ノートパソコン等の情報処理端末であってもよい。
【００２７】
携帯端末（ＭＢ）２も、中央処理装置（ＣＰＵ）を中心に、メモリ、押釦、通信機能部、液晶表示部、撮像機能部等を有しており、メモリに格納された端末アプリケーションプログラムを中央処理装置（ＣＰＵ）が読み込んで実行処理できるようになっている。なお、携帯端末（ＭＢ）２にＧＰＳ機能部を有している場合には、緯度経度データもメモリに保持可能となっている。
【００２８】
花情報データベース（ＦＤＢ）１３には、図４（ｂ）に示すような、花別データベース（花別ＤＢ）と、同図（ｃ）に示すような会員データベース（会員ＤＢ）が設けられている。
【００２９】
前者の花別データベース（花別ＤＢ）には、花ＩＤと、花名と、花の形状と、花の色と、開花時期と、開花地域と、花の大きさ等が関連付けられて登録されている。
【００３０】
会員データベース（会員ＤＢ）には、会員ＩＤと、会員の住所、電話番号、メールアドレス等の個人情報、当該会員が得た提供花ＩＤ、当該会員のブログアドレスが関連付けられて登録されている。
【００３１】
次に、図１を用いて以上で説明したハードウエア資源を用いたソフトウエアによる情報処理手順を説明する。
まず携帯端末（ＭＢ）２の撮像機能部（デジタルカメラ）で花を撮像し、当該撮像データを携帯端末（ＭＢ）２のメモリ（または可搬型メモリ媒体）に記録する（図１：Ｓ１）。
【００３２】
次に、携帯端末（ＭＢ）２の通信機能部を用いて花情報管理サーバ（ＳＶ）１のアドレス（ＵＲＬ）を指定してネットワーク（ＮＷ）４に接続する（図１：Ｓ２）。
【００３３】
携帯端末（ＭＢ）２の液晶表示部には、花情報管理サーバ（ＳＶ）１から提供された花情報照会メニューが表示される。この花情報照会メニューには「画像アップロード」、「詳細入力」、「はなフォーラム」、「マイページ」等が用意されており、ここで押釦で「画像アップロード」を指定すると、メモリに登録された花画像データがネットワーク（ＮＷ）４を介して花情報管理サーバ（ＳＶ）１にアップロード（送信）される。
【００３４】
このとき花画像データには、ＪＰＥＧ等のフォーマット形式、保存日時（タイムスタンプ）等も付加データとして送信される。
【００３５】
このとき、携帯端末（ＭＢ）２にＧＰＳ機能部を有している場合には、前記撮像時の緯度経度データも付加データとして花情報管理サーバ（ＳＶ）１に送信される。
【００３６】
前記花画像データと付加データとを花情報管理サーバ（ＳＶ）１が受信すると、花情報管理サーバ（ＳＶ）１の中央処理装置（ＣＰＵ）５は、当該画像データと付加データとを一旦ハードディスク装置（ＨＤ）７に登録し、携帯端末（ＭＢ）２へ受付メールを自動送信する（図１：Ｓ３，Ｓ４）。
【００３７】
次に、中央処理装置（ＣＰＵ）５は、ハードディスク装置（ＨＤ）７から花画像データを読み出して解析処理プログラムによって当該花画像データから花の形状（形状１）と花の色とを抽出する。具体的には、花画像データから花弁の輪郭情報と色情報とを抽出する。このようにして得られた輪郭情報（形状１）と色情報（色）に基づいて花情報データベース（ＦＤＢ）１３の花別データベース（花別ＤＢ，図４（ｂ））にアクセスして、対象となる花名を絞り込む。
【００３８】
次に、中央処理装置（ＣＰＵ）５は、前記付加データから保存日時を読み出して、花別データベース（花別ＤＢ）の「時期」と照合し、開花時期が一致する花名にさらに絞り込む。
【００３９】
このとき、時期と一致しない花名は候補から除外される。すなわち、撮像日時が春の季節である場合、冬の時期に開花する花は候補から除外されるため、より確実な花名の候補に絞り込まれる。
【００４０】
さらに、中央処理装置（ＣＰＵ）５は、前記付加データに緯度経度データがある場合には、花別データベース（花別ＤＢ）の「地域」と照合し、開花地域が一致する花名にさらに絞り込む。
【００４１】
このようにして絞り込んだ１または２以上の花名称の候補データを電子メールに格納してネットワーク（ＮＷ）４を介して携帯端末（ＭＢ）２に送信する（図１：Ｓ５）。
【００４２】
この電子メールには、花情報管理サーバ（ＳＶ）１に再度アクセスするためのアドレス（ＵＲＬ）が格納されている。携帯端末（ＭＢ）２の押釦によって前記アドレス（ＵＲＬ）が指定入力されると、花情報管理サーバ（ＳＶ）１から絞り込みのための選択入力画面が提供（表示データが送信）される（図１：Ｓ６）。
【００４３】
この選択入力画面では、ユーザが押釦によって花の大きさと、花の形状（形状２）を選択入力できるようになっている。
【００４４】
ここで、花の大きさ（ｃｍ）と、花の形状（形状２：先端丸い、先端鋭い）を選択入力すると、絞り込み条件データとして、携帯端末（ＭＢ）２から花情報管理サーバ（ＳＶ）１に返信される。
【００４５】
花情報管理サーバ（ＳＶ）１の中央処理装置（ＣＰＵ）５は、この絞り込み条件データを受信すると、この絞り込み条件データに基づいて再度花別データベース（花別ＤＢ）を検索し、再絞り込み検索を行う。
【００４６】
花情報管理サーバ（ＳＶ）１の中央処理装置（ＣＰＵ）５は、このようにして再絞り込み検索を行った結果抽出された花名の候補データを再度ネットワーク（ＮＷ）４を介して携帯端末（ＭＢ）２に返信する（図１：Ｓ７，Ｓ８）。
【００４７】
以上に説明した花別データベース（花別ＤＢ）では、形状１、色、時期、地域、大きさ、形状２等を関連付けているが、これ以外に、図４（ａ）の花情報照合データ一覧に示したように、葉の大きさを花別データベース（花別ＤＢ）の関連付け情報として登録するようにしてもよい。
【００４８】
さらに、携帯端末（ＭＢ）２での選択入力項目としても、大きさ、形状２の他に、生息地（高原、低地、海岸、川辺等）、生息環境（気温、湿度、日照、地質等）を選択入力できるようにしてもよい。
【００４９】
次に、図５を用いて、花情報交換サービスのコミュニティ形成システムについて説明する。
このシステムは、図２および図３で説明したハードウエアで実現可能である。
【００５０】
携帯端末（ＭＢ）２の通信機能部を起動して、花情報管理サーバ（ＳＶ）１のアドレス（ＵＲＬ）を指定すると、花情報交換サービスのメニュー画面が表示される（図５：Ｓ１１）。このメニュー画面から「花フォーラム」にアクセスすると、花情報照会サイトに接続される。
【００５１】
次に、携帯端末（ＭＢ）２の撮像機能部（デジタルカメラ）で撮像した花画像データを花情報管理サーバ（ＳＶ）１にアップロードすると（図５：Ｓ１２）、当該アップロードされた花画像データに基づいて、花情報コミュニティにエントリされる（図５：Ｓ１３）。この花情報コミュニティでは、花の画像データと、緯度経度データと、花の大きさと、花の形状２とが「教えて」の情報として表示され、これに対応した既登録の花情報（花の画像データおよび付加データ）が「答えて」の情報として複数表示されるようになっている（図５：Ｓ１４〜Ｓ１６）。
【００５２】
このように花情報コミュニティで照合して確定した花画像データに関する確定情報は、ブログとして当該ユーザのページ（インターネット上の個人ページ）で公開することができるようになっている（図５：Ｓ１７）。
【産業上の利用可能性】
【００５３】
本発明は、屋外で撮像した花に関する情報を収集したり、花に関する情報交換を行うネットワークコミュニティに利用することができる。
【図面の簡単な説明】
【００５４】
【図１】本実施形態の花情報管理サーバ（ＳＶ）と携帯端末（ＭＢ）との通信手順を示す説明図である。
【図２】実施形態のネットワーク構成図である。
【図３】実施形態で用いる花情報管理サーバ（ＳＶ）のハードウエア構成図である。
【図４】花情報照合データの一覧である。
【図５】花情報交換サービスのコミュニティの処理手順を示す説明図である。
【符号の説明】
【００５５】
１  花情報管理サーバ（ＳＶ）
２  携帯端末（ＭＢ）
３  基地局（ＭＳ）
４  ネットワーク（ＮＷ）
５  中央処理装置（ＣＰＵ）
６  メインメモリ（ＭＭ）
７  ハードディスク装置（ＨＤ）
８  オペレーティングシステム（ＯＳ）
９  ディスプレイ装置（ＤＩＳＰ）
１０  キーボード（ＫＢＤ）
１１  バス（ＢＵＳ）
１２  花情報照会プログラム（処理プログラム）
１３  花情報データベース（ＦＤＢ）
【図１】
2007188229.tif 000003
【図２】
2007188229.tif 000004
【図３】
2007188229.tif 000005
【図４】
2007188229.tif 000006
【図５】
2007188229.tif 000007